(57)【要約】      （修正有）【課題】キッチンペーパーロールを取出しやすい開口を容易に形成でき、しかも、複数個の内の一部を包装体内から取り出した後にも残るキッチンペーパーロールを衛生的に保管することができるキッチンペーパーロール包装体を提供する。【解決手段】ガゼット包装袋２内に四本のキッチンペーパーロール３０群が、その一方各端面が把手部２０側となるようにして内包されているキッチンペーパーロール包装体であり、把手部の上縁と下縁との間から袋本体部に至る開封用ミシン目線５０が形成され、その開封用ミシン目線の袋本体部における総長さがキッチンペーパーロールの直径と内径との和以上の長さとされている。【選択図】図３
2015054717.tif 000002
【特許請求の範囲】
【請求項１】
筒状の包装フィルムの側部を袋内側に折り込みして偏平にした状態で上部が融着され、その融着部を境にして、袋本体部と、中央部に指掛け孔用切り込み部が形成された把手部と、が形成されているガゼット包装袋内に、
各々隣接する二本のキッチンペーパーロールが胴面で接しかつ端面が面一となるようにして並べられた四本のキッチンペーパーロール群が、その一方各端面が前記把手部側となるようにして内包されている、キッチンペーパーロール包装体であって、
前記把手部の上縁と下縁との間から袋本体部に至る開封用ミシン目線が形成され、その開封用ミシン目線の袋本体部における総長さがキッチンペーパーロールの直径と内径との和以上の長さとされている、ことを特徴とするキッチンペーパーロール包装体。
【請求項２】
前記開封用ミシン目線が、把手部側の基端から上下方向に８０〜９０°の範囲において延在している請求項１記載のキッチンペーパーロール包装体。
【請求項３】
前記開封用ミシン目線が、把手部側を基端として、その終端が内包されているキッチンペーパーロールの高さの１／２の位置より上方位置にある、請求項１記載のキッチンペーパーロール包装体。
【発明の詳細な説明】
【技術分野】
【０００１】
本発明は、複数個のキッチンペーパーロールを包装フィルムによりガゼット包装したキッチンペーパーロール包装体に関する。
【背景技術】
【０００２】
帯状のキッチンペーパーをロール状に巻いたキッチンペーパーロールは、概ね４〜６個程度、複数個をまとめてガゼット包装袋に内包した状態で市販されている。なかでも４個のキッチンペーパーロールを各胴面を付き合わせるようにしてまとめてガゼット包装したものが多くみられる。
【０００３】
このようなキッチンペーパーロール包装体では、キッチンペーパーロールを使用する際、使用者はそのガゼット包装袋を破って、内包された個々のキッチンペーパーロールを取り出して使用する。
【０００４】
ところで、キッチンペーパーロールは、ある程度の長さのキッチンペーパーを巻いて筒状にしたものであるため、一本を使いきるまでにある程度の期間を要する。そのため、複数個をまとめて市販されるキッチンペーパーロール包装体では、いくつかのキッチンペーパーロールを長期に渡ってガゼット包装袋を破って開封した後にも保管をしておかなければならない。
【０００５】
他方で、キッチンペーパーロールは、家庭のキッチンなど食材を取り扱う場面で使用されることが多いため衛生的であることが求められる。
【０００６】
しかしながら、従来のキッチンペーパーロール包装体は、使用者が力まかせにガゼット包装袋を引裂いて開封するようになっているなど、過度に大きな開封口が形成され、使用されていない残りのキッチンペーパーロールをその開口後のガゼット包装袋内に保管しておく際に、開封口から塵や埃、虫等が侵入するおそれがあり、保管期間中の衛生面において不安があるものであった。
【０００７】
また、従来のキッチンペーパーロール包装体の中には、開封用のミシン目線や切り込みカットなどが形成して開封性を高めたものもあるが、容易にキッチンペーパーロールを取り出せる開口が形成できるように開封でき、しかもその開口を形成した後にそれを容易に閉じることができるものがなかった。
【先行技術文献】
【特許文献】
【０００８】
【特許文献１】特開２００３−１０４４４９号公報
【特許文献２】特許第３１５３５２８号
【特許文献３】特開２０１２−２２４３５３号公報
【特許文献４】特開２０１１−１８９９６５号公報
【発明の概要】
【発明が解決しようとする課題】
【０００９】
そこで、本発明の主たる課題は、内包されたキッチンペーパーロールを取出しやすい開口を容易に形成でき、しかも、複数個の内の一部を包装体内から取り出した後にも残るキッチンペーパーロールを衛生的に保管することができるキッチンペーパーロール包装体を提供することにある。
【課題を解決するための手段】
【００１０】
上記課題を解決した本発明は、下記のとおりである。
〔請求項１記載の発明〕
筒状の包装フィルムの側部を袋内側に折り込みして偏平にした状態で上部が融着され、その融着部を境にして、袋本体部と、中央部に指掛け孔用切り込み部が形成された把手部と、が形成されているガゼット包装袋内に、
各々隣接する二本のキッチンペーパーロールが胴面で接しかつ端面が面一となるようにして並べられた四本のキッチンペーパーロール群が、その一方各端面が前記把手部側となるようにして内包されている、キッチンペーパーロール包装体であって、
前記把手部の上縁と下縁との間から袋本体部に至る開封用ミシン目線が形成され、その開封用ミシン目線の袋本体部における総長さがキッチンペーパーロールの直径と内径との和以上の長さとされている、ことを特徴とするキッチンペーパーロール包装体。
【００１１】
〔請求項２記載の発明〕
前記開封用ミシン目線が、把手部側の基端から上下方向に８０〜９０°の範囲において延在している請求項１記載のキッチンペーパーロール包装体。
【００１２】
〔請求項３記載の発明〕
前記開封用ミシン目線が、把手部側を基端として、その終端が内包されているキッチンペーパーロールの高さの１／２の位置より上方位置にある、請求項１記載のキッチンペーパーロール包装体。
【発明の効果】
【００１３】
以上の本発明によれば、内包されたキッチンペーパーロールを取出しやすい開口を容易に形成でき、しかも、複数個の内の一部を包装体内から取り出した後にも残るキッチンペーパーロールを衛生的に保管することができるキッチンペーパーロール包装体が提供される。
【図面の簡単な説明】
【００１４】
【図１】本発明の実施形態に係るガゼット包装袋の正面図である。
【図２】本発明の実施形態に係るガゼット包装袋の断面図である。
【図３】本発明の実施形態のキッチンペーパーロール包装体の斜視図である。
【図４】本発明の実施形態のキッチンペーパーロール包装体の正面図である。
【図５】本発明の実施形態のキッチンペーパーロール包装体の側面図である。
【図６】本発明の実施形態に係るキッチンペーパーロールの斜視図である。
【図７】本発明の他の実施形態に係るガゼット包装袋の前駆体の正面図である。
【発明を実施するための形態】
【００１５】
次いで、本発明のキッチンペーパーロール包装体の実施形態を図１〜７を参照しながら詳述する。
【００１６】
本実施形態に係るキッチンペーパーロール包装体１は、図１及び図２に示す、筒状の包装フィルムの側部２Ｅ，２Ｅを袋内側に折り込みして偏平にした状態で上部が融着され、その融着部を境にして、袋本体部１０と、中央部に指掛け孔用切り込み部２１，２１が形成された把手部２０と、が形成されているガゼット包装袋２内に、図３に示すように、４本のキッチンペーパーロール３０が内包されているものである。
【００１７】
本実施形態に係るキッチンペーパーロール包装体１では、図３〜図５に示すように、上記構成のガゼット包装袋２内に、４本のキッチンペーパーロール３０が、各々隣接する二本のキッチンペーパーロールが胴面で接しかつ端面が面一となるようにして並べられ、一方の各端面が前記把手部２０に向けて内包されており、その結果、本実施形態に係るキッチンペーパーロール包装体１では、キッチンペーパーロール群３０…を包装した状態において、ガゼット包装袋２は、その偏平状態において折り込まれた側部が開かれて形成されるマチ部１１，１１に連接するように各面１２，１３，１４，１５が形成されている。なお、以後、マチ部１１に連接する各面のうち把手部２０に連接する面を天面１２、この天面と各マチ部１１に連接する二つの面の一方面を正面１２、他方面を背面１３ともいう。但し、正面１２及び背面１３は相対的なものであり、いずれの面を正面とするかは限定されるものではない。
【００１８】
本実施形態のキッチンペーパーロール包装体１における被包装物であるキッチンペーパーロール３０は、図６に示すように、紙管３１に帯状のキッチンペーパー３２を巻きつけたものであり、その大きさは、限定されないが、高さ（幅）が２２５〜２３５ｍｍ、直径（巻径）３０Ｄが３０〜１３０ｍｍ、内径（芯直径）３０ｄが３５〜４５ｍｍ、巻長が      １１．０〜２２．３ｍのものが一般的である。本包装体は、この大きさのキッチンペーパーロール３０を包装したものである場合に、特にその効果を奏する。
【００１９】
キッチンペーパーロール３０を構成するキッチンペーパー３２は、１プライから３プライであり、本発明では特に限定されない。嵩（キッチンペーパー５枚重ね）が２．０〜５．０ｍｍ、１プライ当り米坪が１１．０〜５０．０ｇ／ｍ2の範囲のものが例示できる。また、エンボスが付与されたものであってもよい。なお、ここでの米坪は、ＪＩＳ Ｐ ８１２４（１９９８）の米坪測定方法によるものであり、嵩（キッチンペーパー５枚重ね）は、ＪＩＳ Ｐ ８１１１（１９９８）の条件下で十分に調湿した後、同条件下でダイヤルシックネスゲージ（厚み測定器）「ＰＥＡＣＯＣＫＧ３０型」（尾崎製作所製）を用いて５回測定した平均値をいう。キッチンペーパー枚数は１プライのものであれば「１枚」、複数プライの場合、ラミネート糊等でキッチンペーパー同士を貼り合わせた状態を「１枚」とする。
【００２０】
ガゼット包装袋２を構成する包装フィルムは、厚みが２０〜４５μｍ、融点が１５０℃以下のポリエチレン樹脂製フィルムであるのがコスト面及びミシン目線の開封性の点で望ましい。なお、融点が低いほうが低温で融着処理できるため好ましいが、過度に融点が低い場合には、摩擦などによって包装袋に傷が付いたり、穴が空くおそれが高まるので、実質的な下限値は８０℃である。ポリエチレン樹脂製フィルムとしては、直鎖低密度ポリエチレンフィルム（ＬＬＤＰＥ）、低密度ポリエチレンフィルム（ＬＤＰＥ）、中密度ポリエチレンフィルム（ＭＤＰＥ）が挙げられる。なかでも、本発明においては、熱融着性及びコストの点で、密度０．９１０〜０．９４０ｇ／ｃｍ3で融点が１１０〜１２０℃の直鎖低密度ポリエチレンフィルム層（ＬＬＤＰＥ）が、特に適する。
【００２１】
係るガゼット包装袋２内にキッチンペーパーロール群３０…が内包された態様の上記本実施形態に係るキッチンペーパーロール包装体１は、例えば、予め筒状に形成された包装フィルムを、その両側部分を筒内側に押し込んだ状態で一方開口部を熱融着処理等により封止するとともに把手部２０を形成して一方が閉じられた三方閉じのガゼット包装袋の前駆体を形成し、次に被包装物であるキッチンペーパーロール２０を並べた状態で、その前駆体に挿入し、その後に他方開口部を熱融着処理して封止することにより製造することができる。熱融着処理は、一般的な方法にしたがって、１８０〜２３０℃で行なうことができる。
【００２２】
一方、本実施形態に係るガゼット包装袋２に係る前記把手部２０は、袋本体部１０との境となる融着部４１の他に、上端近傍にも幅方向に直線上の熱融着部４２が形成されており、その上下の熱融着処理部４１，４２の間に一対の指掛け孔用切り込み部２１，２１が形成されている。このように上下において熱融着部４１，４２を形成し、その間に指掛け孔２１，２１を形成することにより、把手部２０において積層された包装フィルム同士が、ずれることなく把手部２０の取り扱い性が向上される。
【００２３】
また、本実施形態に係るキッチンペーパーロール包装体１では、把手部２０の特に指掛け孔用切り込み部２１，２１近傍に把手部２０を補強するため補強用のフィルムシート２５が積層融着されている。このように把手部２０に補強用のフィルムシート２５を設けることにより、把手部２０及び把手部に形成される後述の開封用ミシン目線の一部の意図しない破断が防止されるとともに、把手部２０の厚みの増加により指掛け孔用切り込み部２１，２１により形成される指掛け孔に指をいれて持つ際の指への負担が低減される。図示の形態では、上下の熱融着部４１，４２とともに指掛け孔用切り込み部２１，２１を囲む縦方向の熱融着部４３，４３が形成されており、本実施形態に係るキッチンペーパーロール包装体１は、係る熱融着部４１，４２，４３によって把手部２０に対して補強用のフィルムシート２５を一体的に積層融着している。但し、補強用のフィルムシート２５の融着態様はこの態様に限られるものではない。係る補強用のフィルムシート２５としては、融点が１１０〜１２０℃であり５０〜７０μｍであるポリエチレンフィルムが望ましい。このポリエチレンフィルムであると、熱融着による融着が容易に行えるとともに、後述の開封用ミシン目線を設けた場合においても、その開封性を良好にすることができる。
【００２４】
他方、本実施形態のキッチンペーパーロール包装体１では、特に図１〜図５から理解されるように、特徴的に、把手部２０の幅方向中央かつ上縁２０Ａと下縁２０Ｂとの間から袋本体部１０に至る直線上の開封用ミシン目線５０が形成されている。特に、本実施形態では、一対の指掛け孔用切り込み部２１，２１の間に前記開封用ミシン目線５０の基端５０Ｓがあり、そこから袋本体部１０に至るように直線状に開封用ミシン目線５０が配されている。なお、本実施形態では、補強用のフィルムシート２５が融着された状態で、その補強用のフィルムシート２５も含めて開封用ミシン目線５０が形成されている。
【００２５】
この開封用ミシン目線５０は、キッチンペーパーロール群３０…を包装した状態における、ガゼット包装袋２のマチ部１１に連接する天面１２、正面１３及び背面１４に形成され、マチ部１１には形成されない。
【００２６】
本実施形態に係るキッチンペーパーロール包装体１では、上記のように把手部２０の上縁２０Ａと下限２０Ｂとの間に基端５０Ｓを発し、そこから開封用ミシン目線５０が形成され、把手部２０を完全に縦断するように配されていない。このように、把手部２０を完全に縦断しないように開封用ミシン目線５０を配することで、指掛け孔用切り込み部２１，２１により形成される指掛け孔に指を入れて持ち運ぶ際など、実用上、必要な範囲で把手部２０に力が加わっても意図せずに開封用ミシン目線５０が破断しないようになっている。この効果は、上記例示の包装フィルム及び補強用のフィルムシートを採用する場合に特に顕著となる。また、この意図しない開封用ミシン目線５０の破断防止効果は、上記包装フィルム及び把手部２０の構成に加えて、把手部２０の幅（高さ）Ｌ１が４０〜７０ｍｍ程度とするものにおいて効果的である。
【００２７】
他方で、本実施形態に係る開封用ミシン目線５０は、特に袋本体部１０における総長さがキッチンペーパーロール３０の直径３０Ｄと内径（紙管直径）３０ｄとの和以上の長さとされている。ここで、袋本体部１０における総長さとは、天面１２、正面１３及び背面１４に形成される開封用ミシン目線５０の長さの総和である。このように、開封用ミシン目線５０の袋本体部１０における総長さがキッチンペーパーロール３０の直径３０Ｄと内径３０ｄとの和以上の長さとすると、開封用ミシン目線５０を裂開した際に、キッチンペーパーロール一本の端面よりやや大きい大きさの開封口が、キッチンペーパーロール群３０…の上端面側に形成され、内包されたキッチンペーパーロールを一本ずつ取り出しやすいものとなる。
【００２８】
本実施形態に係る開封用ミシン目線５０は、上記のように特に、意図せず破断し難く、しかも、破断によりキッチンペーパーロール一本を容易に取り出しやすい過度に大きくない開口が容易に形成されるのである。そして、特に、内包されるキッチンペーパーロール３０の上端面側に開口部が形成されるとともに、その開封用ミシン目線５０を破断した後には、ガゼット包装袋１０は、上部側が二股に分かれたようになる。したがって、この二股に分かれた部分を適宜に結んだり縛ったりすることで、開封により形成された開口部を容易に再封止することができる。
【００２９】
ここで、本実施形態に係る開封用ミシン目線５０は、図１及び図４に示すように、把手部２０側の基端５０Ｓから上下方向に８０〜９０°の範囲において延在するように配されているのが望ましい。このように開封用ミシン目線５０を、ほぼ上下方向に沿って配されるようになり、把手部２０をもった際に、特に開封用ミシン目線５０の袋本体部１０に配された部分が避けがたくなり、意図しない破断がより効果的に防止される。
【００３０】
他方、本実施形態に係るキッチンペーパーロール包装体１では、開封用ミシン目線５０の終端５０Ｅの位置は、キッチンペーパーロール群３０…を包装した状態において、そのキッチペーパーロール群３０…の上側端面に位置する部位と前記把手部２０の下縁２０Ｂとの間の面、すなわち天面１２にあってもよいし、キッチンペーパーロール３０の胴面に接する面、すなわち正面１３及び背面１４にあってもよい。図１に示す形態のガゼット包装袋２は、開封用ミシン目線５０の終端５０Ｅが正面１４及び背面１５にある形態であり、図７に示す形態は、開封用ミシン目線５０の終端５０Ｅが天面１２にある形態を示している。
【００３１】
特に、開封用ミシン目線５０が正面１３及び背面１４に至るまで配されている形態においては、図示されるように、その終端５０Ｅが内包されているキッチンペーパーロール３０の高さＬ２の１／２の位置より上方位置にあるようにするのがよい。キッチンペーパーロール３０の高さＬ２の１／２の位置より下方位置に終端が位置するようであると、過度に大きな開口が形成され、例えば、上記のように開封用ミシン目線５０の裂開により形成される二股部分を結んで開口を閉じようとしても、隙間が生じて塵等が侵入するおそれが高まる。
【００３２】
なお、本実施形態における開封用ミシン目線５０のカット部及びタイ部の長さ及びその比は、（カット部：タイ部）＝１ｍｍ：１ｍｍ〜６ｍｍ：６ｍｍの範囲とするのが望ましい。この範囲であれば、ミシン目線を容易に裂開することができるとともに、意図しない裂開を防止できる。
【００３３】
以上の本実施形態に係るキッチンペーパーロール包装体１では、開封用ミシン目線５０の裂開によって、内包されたキッチンペーパーロール群３０…のうちの一本を容易に取り出すことができかつ過度に大きくない開口を容易に形成でき、しかも、その一本を取り出したのちに開封用ミシン目線５０の裂開によって形成される上部二股部分を結んで容易に開封口を封止できる。
【符号の説明】
【００３４】
１…キッチンペーパーロール包装体、２…ガゼット包装装、２Ｅ…ガゼット包装袋の側部、１０…袋本体部、１１…マチ部、１２…天面、１３…正面、１４…底面、１５…底面、２１…指掛け孔用切り込み部、２０…把手部、２０Ａ…把手部上縁、２０Ｂ…把手部下縁、３０…キッチンペーパーロール、３１…紙管、３２…キッチンペーパー、４１…把手部と袋本体部との境の熱融着部、４２…把手部上端近傍の熱融着部、４３…把手部縦方向融着部、２５…把手部補強用のフィルムシート、５０…開封用ミシン目線、５０Ｓ…開封用ミシン目線の基端、５０Ｅ…開封用ミシン目線の終端、Ｌ１…把手部の幅（高さ）、３０Ｄ…キッチンペーパーロールの直径(巻径)、３０ｄ…キッチンペーパーロールの内径（芯直径）、Ｌ２…キッチンペーパーロールの高さ（幅）。
【図１】
2015054717.tif 000003
【図２】
2015054717.tif 000004
【図３】
2015054717.tif 000005
【図４】
2015054717.tif 000006
【図５】
2015054717.tif 000007
【図６】
2015054717.tif 000008
【図７】
2015054717.tif 000009